【事件の表示】
　平成１１年特許願第３４８４３４号「有機系多層型エレクトロルミネセンス素子」拒絶査定不服審判事件〔平成１２年　６月３０日出願公開、特開２０００−１８２７７６〕について、次のとおり審決する。
【結　論】
　本件審判の請求は、成り立たない。
【理　由】
第１　手続の経緯
　本願は、平成１１年１２月８日（パリ条約による優先権主張　平成１０年１２月９日　米国）の出願（特願平１１−３４８４３４号）であって、平成２１年４月３０日付けで拒絶理由が通知され、同年１１月６日付けで意見書が提出されるとともに、同日付けで手続補正がなされ、平成２２年５月１１日付けで拒絶理由（最後）が通知され、同年１１月１７日付けで意見書が提出され、平成２３年７月１５日付けで拒絶査定がなされ、これに対して、同年１１月２５日に拒絶査定不服審判の請求がなされたものである。
　
第２　本願の請求項１に係る発明
　本願の請求項１に係る発明（以下「本願発明」という。）は、平成２１年１１月６日付け手続補正により補正された明細書の特許請求の範囲の請求項１に記載された事項により特定される次のとおりのものである。
　
「【請求項１】　アノードとカソードを含み、さらにそれらの間に正孔輸送層及び前記カソードと前記正孔輸送層との間に配置された電子輸送層を含んで成る有機系多層型エレクトロルミネセンス素子であって、前記正孔輸送層が、芳香族アミン類を含まずに下式の有機化合物を含むことを特徴とするエレクトロルミネセンス素子。
【化１】
（上式中、置換基Ｒ１、Ｒ２、Ｒ３及びＲ４は、各々独立に、水素、炭素原子数１〜２４のアルキル基、炭素原子数５〜２０のアリール基もしくは置換アリール基、炭素原子数５〜２４のヘテロアリール基もしくは置換ヘテロアリール基、フッ素、塩素、臭素、又はシアノ基を表す。）」
　
第３　引用例
１　原査定の拒絶の理由に引用され、本願の優先日前の特許出願であって、その後出願公開がなされた特願平９−１８８６３９号の願書に最初に添付された明細書又は図面（以下「引用例１」という。）には、次の事項が記載されている。（下線は当審において付したものである。）
　
「【請求項１】　
陽極と陰極間に発光層を含む一層または複数層の有機薄膜層を有する有機エレクトロルミネッセンス素子において、前記有機薄膜層の少なくとも一層が下記一般式（１）で示される材料を単独
として含むことを特徴とする有機エレクトロルミネッセンス素子。
【化１】
　（式中、Ｒ１ 〜Ｒ１８は、それぞれ独立に、水素原子、ハロゲン原子、ヒドロキシル基、置換もしくは無置換のアミノ基、ニトロ基、シアノ基、置換もしくは無置換のアルキル基、置換もしくは無置換のアルケニル基、置換もしくは無置換のシクロアルキル基、置換もしくは無置換のアルコキシ基、置換もしくは無置換の芳香族炭化水素基、置換もしくは無置換の芳香族複素環基、置換もしくは無置換のアラルキル基、置換もしくは無置換のアリールオキシ基、置換もしくは無置換のアルコシキカルボニル基、カルボキシル基を表す。またＲ１ 〜Ｒ１８は、それらのうちの２つで環を形成していても良い。）
【請求項２】　陰極と陽極間に発光層を含む一層または複数層の有機薄膜層を有する有機エレクトロルミネッセンス素子において、前記有機薄膜層の少なくとも一層が下記一般式（２）で示される材料を単独もしくは混合物として含むことを特徴とする有機エレクトロルミネッセンス素子。
【化２】
　（式中、Ｒ１ 〜Ｒ１８は、それぞれ独立に、水素原子、ハロゲン原子、ヒドロキシル基、置換もしくは無置換のアミノ基、ニトロ基、シアノ基、置換もしくは無置換のアルキル基、置換もしくは無置換のアルケニル基、置換もしくは無置換のシクロアルキル基、置換もしくは無置換のアルコキシ基、置換もしくは無置換の芳香族炭化水素基、置換もしくは無置換の芳香族複素環基、置換もしくは無置換のアラルキル基、置換もしくは無置換のアリールオキシ基、置換もしくは無置換のアルコシキカルボニル基、カルボキシル基を表す。またＲ１ 〜Ｒ１８は、それらのうちの２つで環を形成していても良い。ただし、Ｒ１ 〜Ｒ１８のうち少なくとも一つは−ＮＡｒ１ Ａｒ２ （Ａｒ１ ，Ａｒ２ はそれぞれ独立に置換若しくは無置換の炭素数６〜２０のアリール基を表す。）で表されるジアリールアミノ基である。）
【請求項３】　陰極と陽極間に発光層を含む一層または複数層の有機薄膜層を有する有機エレクトロルミネッセンス素子において、前記有機薄膜層の少なくとも一層が一般式（２）で示される化合物のうち、少なくとも一つの−ＮＡｒ１ Ａｒ２ 基中のＡｒ１ ，Ａｒ２ 基の少なくとも一つがスチリル基を置換基として持つ材料を単独もしくは混合物として含むことを特徴とする請求項２記載の有機エレクトロルミネッセンス素子。
【請求項４】　
前記有機薄膜層として、少なくとも正孔輸送層を有し、この層が一般式（１）で表される化合物を単独
として含む
【請求項５】　前記有機薄膜層として、少なくとも正孔輸送層を有し、この層が一般式（２）で表される化合物を単独もしくは混合物として含むことを特徴とする請求項２記載の有機エレクトロルミネッセンス素子。
【請求項６】　前記有機薄膜層として、少なくとも正孔輸送層を有し、この層が一般式（２）で表される化合物のうち、少なくとも一つの−ＮＡｒ１ Ａｒ２ 基中のＡｒ１ ，Ａｒ２ 基の少なくとも一つがスチリル基を置換基として持つ材料を単独もしくは混合物として含むことを特徴とする請求項３記載の有機エレクトロルミネッセンス素子。
【請求項７】　前記有機薄膜層として、少なくとも電子輸送層を有し、この層が一般式（１）で表される化合物を単独もしくは混合物として含むことを特徴とする請求項１記載の有機エレクトロルミネッセンス素子。
【請求項８】　前記有機薄膜層として、少なくとも電子輸送層を有し、この層が一般式（２）で表される化合物を単独もしくは混合物として含むことを特徴とする請求項２記載の有機エレクトロルミネッセンス素子。
【請求項９】　前記有機薄膜層として、少なくとも電子輸送層を有し、この層が一般式（２）で表される化合物のうち、少なくとも一つの−ＮＡｒ１ Ａｒ２基中の Ａｒ１ ，Ａｒ２ 基の少なくとも一つがスチリル基を置換基として持つ材料を単独もしくは混合物として含むことを特徴とする請求項３記載の有機エレクトロルミネッセンス素子。
【発明の詳細な説明】
【０００１】
【発明の属する技術分野】本発明は、発光特性に優れた有機エレクトロルミネッセンス素子に関する。
【０００２】
【従来の技術】有機エレクトロルミネッセンス素子（以下エレクトロルミネッセンスをＥＬと略記することがある）は、電界を印加することより、陽極より注入された正孔と陰極より注入された電子の再結合エネルギーにより蛍光性物質が発光する原理を利用した自発光素子である。イーストマン・コダック社のＣ．Ｗ．Ｔａｎｇらによる積層型素子による低電圧駆動有機ＥＬ素子の報告（C.W. Tang, S.A. Vanslyke, アプライドフィジックスレターズ(Applied Physics Letters),５１巻、９１３頁、１９８７年等）がなされて以来、有機材料を構成材料とする有機ＥＬ素子に関する研究が盛んに行われている。Ｔａｎｇらは、トリス（８−ヒドロキシキノリノールアルミニウム）を発光層に、トリフェニルジアミン誘導体を正孔輸送層に用いている。積層構造の利点としては、発光層への正孔の注入効率を高めること、陰極より注入された電子をブロックして再結合により生成する励起子の生
成効率を高めること、発光層内で生成した励起子を閉じ込めること等が挙げられる。この例のように有機ＥＬ素子の素子構造としては、正孔輸送（注入）層、電子輸送発光層の２層型、または正孔輸送（注入）層、発光層、電子輸送（注入）層の３層型等が良く知られている。こうした積層型構造素子では注入された正孔と電子の再結合効率を高めるため、素子構造や形成方法の工夫がなされている。
【０００３】正孔輸送性材料としてはスターバースト分子である４，４’，４”−トリス（３−メチルフェニルフェニルアミノ）トリフェニルアミンやＮ，Ｎ’−ジフェニル−Ｎ，Ｎ’−ビス（３−メチルフェニル）−［１，１’−ビフェニル］−４，４’−ジアミン等のトリフェニルアミン誘導体や芳香族ジアミン誘導体が良く知られている（例えば、特開平８−２０７７１号公報、特開平８−４０９９５号公報、特開平８−４０９９７号公報、特開平８−５４３３９７号公報、特開平８−８７１２２号公報等）。
【０００４】電子輸送性材料としてはオキサジアゾール誘導体、トリアゾール誘導体等が良く知られている。
【０００５】また、発光材料としてはトリス（８−キノリノラート）アルミニウム錯体等のキレート錯体、クマリン誘導体、テトラフェニルブタジエン誘導体、ビススチリルアリーレン誘導体、オキサジアゾール誘導体等の発光材料が知られており、それらからは青色から赤色までの可視領域の発光が得られることが報告されており、カラー表示素子の実現が期待されている（例えば、特開平８−２３９６５５号公報、特開平７−１３８５６１号公報、特開平３−２００２８９号公報等）。
【０００６】
【発明が解決しようとする課題】最近では高輝度、長寿命の有機ＥＬ素子が開示あるいは報告されているが未だ必ずしも充分なものとはいえない。したがって、高性能を示す材料開発が強く求められている。本発明の目的は、高輝度の有機ＥＬ素子を提供することにある。
【０００７】
【課題を解決するための手段】本発明者らは、前記課題を解決するために鋭意検討した結果、特定のビアンスリル化合物を発光材料として用いて作製した有機ＥＬ素子は従来よりも高輝度発光することを見いだした。また、前記材料は高いキャリヤ輸送性を有することがわかり、前記材料を正孔輸送材料、または電子輸送材料として作製した有機ＥＬ素子、及び前記材料と他の正孔輸送材料あるいは電子輸送材料との混合薄膜を用いて作製した有機ＥＬ素子は従来よりも高輝度発光を示すことを見いだし本発明に至った。また、前記ビアンスリル化合物の中でも、ジアリールアミノ基を置換基に有するものを発光材料、正孔輸送材料、電子輸送材料として用いて作製した有機ＥＬ素子は、特に高い輝度の発光が得られることを見いだし、本発明に至った。またジアリールアミノ基を置換基に有するビアンスリル化合物の中でも、アリール基がスチリル基を置換基として有するものを発光材料、正孔輸送材料、電子輸送材料として用いて作製した有機ＥＬ素子は、特に高い輝度の発光が得られることを見いだし、本発明に至った。
【０００８】すなわち、本発明は次のようである。
【０００９】１　
陰極と陽極間に発光層を含む一層または複数層の有機薄膜層を有する有機エレクトロルミネッセンス素子において、前記有機薄膜層の少なくとも一層が下記一般式（１）で示される材料を単独
として含むことを特徴とする有機エレクトロルミネッセンス素子。
【００１０】
【化３】
　（式中、Ｒ１ 〜Ｒ１８は、それぞれ独立に、水素原子、ハロゲン原子、ヒドロキシル基、置換もしくは無置換のアミノ基、ニトロ基、シアノ基、置換もしくは無置換のアルキル基、置換もしくは無置換のアルケニル基、置換もしくは無置換のシクロアルキル基、置換もしくは無置換のアルコキシ基、置換もしくは無置換の芳香族炭化水素基、置換もしくは無置換の芳香族複素環基、置換もしくは無置換のアラルキル基、置換もしくは無置換のアリールオキシ基、置換もしくは無置換のアルコシキカルボニル基、カルボキシル基を表す。またＲ１ 〜Ｒ１８は、それらのうちの２つで環を形成していても良い。）
２　陰極と陽極間に発光層を含む一層または複数層の有機薄膜層を有する有機エレクトロルミネッセンス素子において、前記有機薄膜層の少なくとも一層が下記一般式（２）で示される材料を単独もしくは混合物として含むことを特徴とする有機エレクトロルミネッセンス素子。
【００１１】
【化４】
　　　　　　　　　　　　　　　　　　　　　　　　　　　　　　　　
　（式中、Ｒ１ 〜Ｒ１８は、それぞれ独立に、水素原子、ハロゲン原子、ヒドロキシル基、置換もしくは無置換のアミノ基、ニトロ基、シアノ基、置換もしくは無置換のアルキル基、置換もしくは無置換のアルケニル基、置換もしくは無置換のシクロアルキル基、置換もしくは無置換のアルコキシ基、置換もしくは無置換の芳香族炭化水素基、置換もしくは無置換の芳香族複素環基、置換もしくは無置換のアラルキル基、置換もしくは無置換のアリールオキシ基、置換もしくは無置換のアルコシキカルボニル基、カルボキシル基を表す。またＲ１ 〜Ｒ１８は、それらのうちの２つで環を形成しても良い。ただし、Ｒ１ 〜Ｒ１８のうち少なくとも一つは−ＮＡｒ１ Ａｒ２（Ａｒ１ ，Ａｒ２ はそれぞれ独立に置換もしくは無置換の炭素数６〜２０のアリール基を表す。）で表されるジアリールアミノ基である。）
３　陰極と陽極間に発光層を含む一層または複数層の有機薄膜層を有する有機エレクトロルミネッセンス素子において、前記有機薄膜層の少なくとも一層が一般式（２）で示される化合物のうち、少なくとも一つの−ＮＡｒ１ Ａｒ２ 基中のＡｒ１ ，Ａｒ２ 基の少なくとも一つがスチリル基を置換基として持つ材料を単独もしくは混合物として含むことを特徴とする上記２記載の有機エレクトロルミネッセンス素子。
【００１２】４　
前記有機薄膜層として、少なくとも正孔輸送層を有し、この層が一般式（１）で表される化合物を単独
として含む
【００１３】５　前記有機薄膜層として、少なくとも正孔輸送層を有し、この層が一般式（２）で表される化合物を単独もしくは混合物として含むことを特徴とする上記２記載の有機エレクトロルミネッセンス素子。
【００１４】６　前記有機薄膜層として、少なくとも正孔輸送層を有し、この層が一般式（２）で表される化合物のうち、少なくとも一つの−ＮＡｒ１ Ａｒ２ 基中のＡｒ１ ，Ａｒ２ 基の少なくとも一つがスチリル基を置換基として持つ材料を単独もしくは混合物として含むことを特徴とする上記３記載の有機エレクトロルミネッセンス素子。
【００１５】７　前記有機薄膜層として、少なくとも電子輸送層を有し、この層が一般式（１）で表される化合物を単独もしくは混合物として含むことを特徴とする上記１記載の有機エレクトロルミネッセンス素子。
【００１６】８　前記有機薄膜層として、少なくとも電子輸送層を有し、この層が一般式（２）で表される化合物を単独もしくは混合物として含むことを特徴とする上記２記載の有機エレクトロルミネッセンス素子。
【００１７】９　前記有機薄膜層として、少なくとも電子輸送層を有し、この層が一般式（２）で示される化合物のうち、少なくとも一つの−ＮＡｒ１ Ａｒ２ 基中のＡｒ１ ，Ａｒ２ 基の少なくとも一つがスチリル基を置換基として持つ材料を単独もしくは混合物として含むことを特徴とする上記３記載の有機エレクトロルミネッセンス素子。
【００１８】
【発明の実施の形態】本発明の化合物は、前記一般式（１）で表される構造を有する化合物である。Ｒ１ 〜Ｒ１８は、それぞれ独立に、水素原子、ハロゲン原子、ヒドロキシル基、置換または無置換のアミノ基、ニトロ基、シアノ基、置換または無置換のアルキル基、置換または無置換のアルケニル基、置換または無置換のシクロアルキル基、置換または無置換のアルコキシ基、置換または無置換の芳香族炭化水素基、置換または無置換の芳香族複素環基、置換または無置換のアラルキル基、置換または無置換のアリールオキシ基、置換または無置換のアルコシキカルボニル基、カルボキシル基を表す。またＲ１ 〜Ｒ１８は、それらのうちの２つで環を形成してもよい。」
　
「【００３３】
　
以下に本発明の化合物例を挙げる
【００３４】
【化５】
【００３５】
【化６】
【００３６】
【化７】
【００３７】
【化８】
【００３８】
【化９】
　本発明における有機ＥＬ素子の素子構造は、電極間に有機層を１層あるいは２層以上積層した構造であり、その例として図１〜図４に示すように〔１〕（当審注：〔　〕は、原文における丸で囲んだ数字を示す。以下同様）陽極、発光層、陰極、
〔２〕陽極、正孔輸送層、発光層、電子輸送層、陰極、
【００３９】本発明に用いられる正孔輸送材料は特に限定されず、通常正孔輸送剤として使用されている化合物であれば何を使用してもよい。例えば、下記のビス（ジ（ｐ−トリル）アミノフェニル）−１，１−シクロヘキサン［０１］、Ｎ，Ｎ‘−ジ-フェニル−Ｎ，Ｎ’−ビス（３−メチルフェニル）−１，１‘−ビフェニル−４，４’−ジアミン［０２］、Ｎ，Ｎ‘−ジフェニル−Ｎ−Ｎ−ビス（１−ナフチル）−１，１’−ビフェニル）−４，４‘−ジアミン［０３］等のトリフェニルジアミン類や、スターバースト型分子（［０４］〜［０６］等）等が挙げられる。
【００４０】
【化１０】
　　　　　　　　　　　　　　　　　　　　　　　　　　　　」
　
「【００４５】
【実施例】（合成例１）化合物（３）（９，９’−ビアンスリル）の合成　常法にしたがい、９−アントロンをマグネシウムとヨウ素で処理することにより、９，９’−ビアンスリルを得た。
【００４６】（合成例２）化合物（４）（１０−ジフェニルアミノ−９，９’ビアンスリル）の合成９，９’−ビアンスリル３５ｇ、無水塩化銅（II）２７．２ｇと四塩化炭素５００ｍｌをフラスコに入れ、一昼夜攪拌しながら還流させた。反応液を濾過し、濾液をアルミナを詰めたカラムに通した。得られた溶液から四塩化炭素を減圧留去した後、石油エーテルを用いて再結晶を行い、１０−クロロ−９，９’−ビアンシルル３１ｇ（収率８０％）を得た。次いで１０−クロロ−９，９’−ビアンスリル１６．４ｇ、ジフェニルアミン１０ｇ、炭酸カリウム８．５ｇ、銅粉末０．２ｇ及びニトロベンゼン５０ｍｌを１００ｍｌ三ツ口フラスコに入れ、２００℃で３０時間攪拌した。反応終了後、トルエンを加えて濾過して無機物を除いた、トルエン及びニトロベンゼンを減圧下で留去し、残渣をトルエンとリグロインの１：２混合溶液を用いてシリカゲルカラムにて分離精製して１０−ジフェニルアミノ−９，９’−ビアンスリル１５ｇ（収率６０％）を得た。」
　
「【００６５】実施例１５
　実施例１５に用いた素子の断面構造を図３に示す。素子は陽極／正孔輸送層／発光層／陰極により構成されている。ガラス基板上にＩＴＯをスパッタリングによってシート抵抗が２０Ω／□になるように製膜し、陽極とした。その上に正孔輸送層として、Ｎ，Ｎ‘−ジフェニル−Ｎ，Ｎ’−ビス（１−ナフチル）−１，１’−ビフェニル）−４，４’−ジアミン［０３］を真空蒸着法にて５０ｎｍ形成した。次に、発光層として、化合物［１１］と化合物（３）とを２０：１の重量比で真空蒸着法した膜を５０ｎｍ形成した。次に陰極としてマグネシウム−銀合金を２００ｎｍ形成してＥＬ素子を作製した。この素子に直流電圧を１０Ｖ印加したところ、１３００ｃｄ／ｍ２ の発光が得られた。
【００６６】実施例１６
　発光層として、［１１］と化合物（５）とを２０：１の重量比で真空共蒸着した５０ｎｍを用いる以外は実施例１５と同様の操作を行い有機ＥＬ素子を作製した。この素子に直流電圧を１０Ｖ印加したところ、２２００ｃｄ／ｍ２ の発光が得られた。
【００６７】実施例１７
　正孔輸送層としてＮ，Ｎ’−ジフェニルＮ，Ｎ’−ビス（３−メチルフェニル）−［１，１’−ビフェニル］−４，４’−ジアミン［０２］を、発光層として［１３］と化合物（７）とを２０：１の重量比で真空共蒸着して作製した膜を用いる以外は実施例１５と同様の操作を行い有機ＥＬ素子を作製した。この素子に直流電圧を１０Ｖ印加したところ、２５００ｃｄ／ｍ２ の発光が得られた。
【００６８】実施例１８
　正孔輸送層として化合物（４）を、発光層として［１３］を用いる以外は実施例７と同様の操作を行い有機ＥＬ素子を作製した。この素子に直流電圧を１０Ｖ印加したところ、８００ｃｄ／ｍ２ の発光が得られた。
【００６９】実施例１９
　正孔輸送材料として、化合物（５）を用いる以外は実施例１８と同様の操作を行い有機ＥＬ素子を作製した。この素子に直流電圧を１０Ｖ印加したところ、１２００ｃｄ／ｍ２ の発光が得られた。
【００７０】実施例２０
　正孔輸送材料として、化合物（６）を用いる以外は実施例１８と同様の操作を行い有機ＥＬ素子を作製した。この素子に直流電圧を１０Ｖ印加したところ、１３００ｃｄ／ｍ２ の発光が得られた。
【００７１】実施例２１
　正孔輸送材料として、化合物（７）を用いる以外は実施例１８と同様の操作を行い有機ＥＬ素子を作製した。この素子に直流電圧を１０Ｖ印加したところ、１５００ｃｄ／ｍ２ の発光が得られた。
【００７２】実施例２２
　正孔輸送層としてＮ，Ｎ’−ジフェニル−ビス（１−ナフチル）−１，１’−ビフェニル）−４，４’−ジアミン［０３］を、発光層として［１３］を、電子輸送層として化合物（３）を用いる以外は実施例７と同様の操作を行い有機ＥＬ素子を作製した。この素子に直流電圧を１０Ｖ印加したところ、１０００ｃｄ／ｍ２ の発光が得られた。」
　
「【図２】
　　　　　　　　　　　　　　　　　　　　　　　　　　　　　　」
２　引用例１に記載された発明の認定
　上記の【図２】から、陰極６と正孔輸送層３との間に電子輸送層５が配置されていることは明らかである。
　また、【００３４】の【化５】で示されている化合物（３）について【００４５】において合成例が記載されており、化合物（３）は、当業者であれば製造できる程度に明細書の発明の詳細な説明に記載されているといえるから、引用例１には【請求項１】及び【００１０】に記載された一般式（１）で示される化合物の具体例として化合物（３）が開示されているといえる。
　よって、上記記載（図面の記載も含む）を総合勘案すれば、引用例１には、
「陽極と陰極間に発光層を含む複数層の有機薄膜層を有する有機エレクトロルミネッセンス素子において、有機薄膜層として、少なくとも正孔輸送層を有し、陰極と正孔輸送層との間に電子輸送層が配置され、
　正孔輸送層が、化合物（３）
を単独で含む有機エレクトロルミネッセンス素子。」の発明（以下「引用発明」という。）が記載されている。
　
第４　本願発明と引用発明の対比、及び、当審の判断
１　対比
　ここで、本願発明と引用発明を対比する。
　
　引用発明の「陽極」及び「陰極」が、本願発明の「アノード」及び「カソード」に相当し、引用発明の「陰極と正孔輸送層との間に電子輸送層が配置され」ることが、本願発明の「前記カソードと前記正孔輸送層との間に配置された電子輸送層を含んで成る」ことに相当し、引用発明の「複数層の有機薄膜層を有する有機エレクトロルミネッセンス素子」が、本願発明の「有機系多層型エレクトロルミネセンス素子」に相当するから、引用発明の「陽極と陰極間に発光層を含む複数層の有機薄膜層を有する有機エレクトロルミネッセンス素子」であって「有機薄膜層として、少なくとも正孔輸送層を有し、陰極と正孔輸送層との間に電子輸送層が配置され」る「有機エレクトロルミネッセンス素子」が、本願発明の「アノードとカソードを含み、さらにそれらの間に正孔輸送層及び前記カソードと前記正孔輸送層との間に配置された電子輸送層を含んで成る有機系多層型エレクトロルミネセンス素子」に相当する。
　
　引用発明の「化合物（３）」は、本願発明の【化１】の有機化合物において、置換基Ｒ１、Ｒ２及びＲ３は水素、Ｒ４はアントラセン基（炭素原子数１４（５〜２０の条件を満たす）のアリール基）としたものであり、また、引用発明において「正孔輸送層が、化合物（３）を
単独
　よって、引用発明の「正孔輸送層が、化合物（３）を単独で含む」ことが、本願発明の「前記正孔輸送層が、芳香族アミン類を含まずに『【化１】の』有機化合物を含む」ことに相当する。
　
２　本願発明と引用発明の一致点及び相違点、並びに、当審の判断
　したがって、本願発明と引用発明とは、
「アノードとカソードを含み、さらにそれらの間に正孔輸送層及び前記カソードと前記正孔輸送層との間に配置された電子輸送層を含んで成る有機系多層型エレクトロルミネセンス素子であって、
　前記正孔輸送層が、芳香族アミン類を含まずに『【化１】の』有機化合物を含むエレクトロルミネセンス素子」の発明である点で一致し、両者に相違するところがない。
　
　したがって、本願発明は、引用発明と同一である。よって、本願発明は、特許法第２９条の２の規定により、特許を受けることができない。
　
第５　むすび
　以上のとおり、本願発明は、引用発明と同一であり、特許法第２９の２の規定により特許を受けることができないから、本願は拒絶すべきものである。
　
　よって、結論のとおり審決する。